(57)【要約】      （修正有）【課題】ロック位置を選択することにより、解除ボタンが開口部を通過して押し込まれ、雄部材の差込部のロック状態が不用意に解除されるのを未然に防止することができるバックルを提供する。【解決手段】ロック部材７０には、差込口から差し込まれた雄部材３０の差込部３２を、当該差込口内にロックする係止片７２と、係止片に設けられ、雌本体５０に設けた開口部より外向きに突出するとともに、雌本体の内部に向かって押し込み操作により、ロック状態を解除可能な解除ボタン８０と、解除ボタンと雌本体の内部との間に位置し、解除ボタンを雌本体の開口部より外向きに突出する方向に付勢する復帰バネを備え、解除ボタンは、ロック状態で開口部を通過可能な解除位置と、開口部周縁に当接可能なロック位置とを選択可能とする。【選択図】図１
2013031506.tif 000002
【特許請求の範囲】
【請求項１】
ベルトの自由端部を固定する雄部材と、
前記雄部材を連結する雌部材とを備え、
前記雌部材には、
前記雄部材の差込部が差し込まれる差込口を有する中空筒形の雌本体と、
前記雌本体の内部に位置し、前記差込口から差し込まれた前記雄部材の差込部を、当該差込口内にロックするロック部材とを備えたバックルにおいて、
前記ロック部材には、
前記差込口から差し込まれた雄部材の差込部を、当該差込口内にロックする係止片と、
前記係止片に設けられ、前記雌本体に設けた開口部より外向きに突出するとともに、前記雌本体の内部に向かって押し込み操作により、前記ロック状態を解除可能な解除ボタンと、
前記解除ボタンと前記雌本体の内部との間に位置し、前記解除ボタンを前記雌本体の前記開口部より外向きに突出する方向に付勢する復帰バネとを備え、
前記解除ボタンは、
前記ロック状態で前記開口部を通過可能な解除位置と、
前記開口部周縁に当接可能なロック位置とを選択可能であることを特徴とするバックル。
【請求項２】
前記解除ボタンは、
前記ロック部材に回動可能に設けられていることを特徴とする請求項１に記載のバックル。
【請求項３】
前記解除ボタンは、
前記ロック部材に対し、前記雄部材の差込方向と平行に往復動可能に設けられていることを特徴とする請求項１に記載のバックル。
【請求項４】
前記解除ボタンと前記ロック部材との間には、
前記解除ボタンを前記ロック位置に向けて付勢する付勢手段を設けたことを特徴とする請求項１〜３のいずれか１項に記載のバックル。
【請求項５】
前記解除ボタンは、
当該解除ボタンの回動を抑止する係合爪を備えていることを特徴とする請求項２項に記載のバックル。
【請求項６】
前記付勢手段は、
前記解除ボタンの回動の軸線上に設けられたコイルスプリングであることを特徴とする請求項４に記載のバックル。
【発明の詳細な説明】
【技術分野】
【０００１】
この発明は、バックルに関し、ロック位置とを選択することにより、解除ボタンが開口部を通過して押し込まれ、雄部材の差込部のロック状態が不用意に解除されるのを未然に防止することができるようにしたものである。
【背景技術】
【０００２】
従来、連結可能な雄部材と雌部材とからなり、雌部材には雄部材との連結状態を解除可能な押し込み式の解除ボタンを設けた「シートベルト連結装置」が記載されている（特許文献２の段落番号「００３４」〜「００３７」、段落番号「００４９」及び「００５０」、段落番号「００５８」及び「００５９」、並びに図１、図１２及び図１３参照）。
【先行技術文献】
【特許文献】
【０００３】
【特許文献１】特許第４３０２０３８号公報
【発明の概要】
【発明が解決しようとする課題】
【０００４】
しかし、上記した従来の「シートベルト連結装置」では、解除ボタンが誤って不用意に押されると、雌部材と雄部材との連結状態が解除されてしまうことがあるという問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
【０００５】
すなわち、請求項１に記載の発明は、ロック位置とを選択することにより、解除ボタンが開口部を通過して押し込まれ、雄部材の差込部のロック状態が不用意に解除されるのを未然に防止することができるようにしたものである。
（請求項２）
請求項２に記載の発明は、上記した請求項１に記載の発明の目的に加え、次の点を目的とする。
【０００６】
すなわち、請求項２に記載の発明は、解除ボタンを回動させることにより、解除位置とロック位置とを選択することができるようにしたものである。
（請求項３）
請求項３に記載の発明は、上記した請求項１に記載の発明の目的に加え、次の点を目的とする。
【０００７】
すなわち、請求項３に記載の発明は、解除ボタンを往復動させることにより、解除位置とロック位置とを選択することができるようにしたものである。
（請求項４）
請求項４に記載の発明は、上記した請求項１〜３のいずれか１項に記載の発明の目的に加え、次の点を目的とする。
【０００８】
すなわち、請求項４に記載の発明は、解除ボタンをロック位置に向けて付勢することで、解除ボタンを解除位置からロック位置に移行させる選択操作が不要となり、自動ロック機能を付加することができ、解除ボタンのロック忘れを未然に防止することができるようにしたものである。
これに加え、請求項４に記載の発明は、ロック位置に移行した解除ボタンを、解除位置に移行させる際に、付勢手段の付勢に抗して解除ボタンを解除位置に移行させる選択操作が必要となり、当該選択操作の上からも、ロック状態が不用意に解除されるのを適切に防止することができるようにしたものである。
（請求項５）
請求項５に記載の発明は、上記した請求項２に記載の発明の目的に加え、次の点を目的とする。
【０００９】
すなわち、請求項５に記載の発明は、解除ボタンの回動を抑止する係合爪を備えることで、解除ボタンが不用意に回動して、解除位置からロック位置に移行するのを未然に防止することができるようにしたものである。
（請求項６）
請求項６に記載の発明は、上記した請求項４に記載の発明の目的に加え、次の点を目的とする。
【００１０】
すなわち、請求項６に記載の発明は、コイルスプリングを解除ボタンの回動の軸線上に設けることで、その捻りと圧縮により、解除ボタンを突出させる復帰バネと、ロック位置に向けて付勢する付勢手段との機能を併せ持たせることができるようにしたものである。
【課題を解決するための手段】
【００１１】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１２】
第１に、バックル(10)は、例えば図１に示すように、次の構成を備える。
（１）雄部材(30)
雄部材(30)は、例えば図８に示すように、ベルト(20)の自由端部を固定するものである。
（２）雌部材(40)
雌部材(40)は、例えば図２〜４及び図８に示すように、雄部材(30)を連結するものである。
【００１３】
第２に、雌部材(40)には、例えば図１に示すように、次の構成を備える。
（３）雌本体(50)
雌本体(50)は、例えば図８、図１８及び図２０に示すように、雄部材(30)の差込部(32)が差し込まれる差込口(51)を有する中空筒形のものである。
（４）ロック部材(70)
ロック部材(70)は、例えば図８に示すように、雌本体(50)の内部に位置し、差込口(51)から差し込まれた雄部材(30)の差込部(32)を、当該差込口(51)内にロックするものである。
【００１４】
第３に、ロック部材(70)には、例えば図１に示すように、次の構成を備える。
（５）係止片(72)
係止片(72)は、例えば図８に示すように、差込口(51)から差し込まれた雄部材(30)の差込部(32)を、当該差込口(51)内にロックするものである。
（６）解除ボタン(80)
解除ボタン(80)は、例えば図８及び図１０に示すように、係止片(72)に設けられ、雌本体(50)に設けた開口部(52)より外向きに突出するとともに、雌本体(50)の内部に向かって押し込み操作により、ロック状態を解除可能なものである。
【００１５】
（７）復帰バネ(73)
復帰バネ(73)は、例えば図１１に示すように、解除ボタン(80)と雌本体(50)の内部との間に位置し、解除ボタン(80)を雌本体(50)の開口部(52)より外向きに突出する方向に付勢するものである。
第４に、解除ボタン(80)は、例えば図１５及び図１６に示すように、ロック状態で開口部(52)を通過可能な解除位置と、例えば図１２及び図１３に示すように、開口部(52)周縁に当接可能なロック位置とを選択可能である。
（請求項２）
請求項２に記載の発明は、上記した請求項１に記載の発明の特徴点に加え、次の点を特徴とする。
【００１６】
すなわち、解除ボタン(80)は、例えば図１に示すように、ロック部材(70)に回動可能に設けられている。
（請求項３）
請求項３に記載の発明は、上記した請求項１に記載の発明の特徴点に加え、次の点を特徴とする。
【００１７】
すなわち、解除ボタンは、図示しないが、ロック部材に対し、雄部材の差込方向と平行に往復動可能に設けられている。
（請求項４）
請求項４に記載の発明は、上記した請求項１〜３のいずれか１項に記載の発明の特徴点に加え、次の点を特徴とする。
【００１８】
すなわち、解除ボタン(80)とロック部材(70)との間には、例えば図１に示すように、解除ボタン(80)をロック位置に向けて付勢する付勢手段（例えばコイルスプリング90）を設けた。
（請求項５）
請求項５に記載の発明は、上記した請求項２に記載の発明の特徴点に加え、次の点を特徴とする。
【００１９】
すなわち、解除ボタン(80)は、例えば図１４に示すように、解除ボタン(80)の回動を抑止する係合爪(85)を備えている。
（請求項６）
請求項６に記載の発明は、上記した請求項４に記載の発明の特徴点に加え、次の点を特徴とする。
【００２０】
すなわち、付勢手段は、例えば図１４に示すように、解除ボタン(80)の回動の軸線上に設けられたコイルスプリング(90)である。
【発明の効果】
【００２１】
本発明は、以上のように構成されているので、以下に記載されるような効果を奏する。
（請求項１）
請求項１に記載の発明によれば、次のような効果を奏する。
すなわち、請求項１に記載の発明によれば、ロック位置とを選択することにより、解除ボタンが開口部を通過して押し込まれ、雄部材の差込部のロック状態が不用意に解除されるのを未然に防止することができる。
（請求項２）
請求項２に記載の発明によれば、上記した請求項１に記載の発明の効果に加え、次のような効果を奏する。
【００２２】
すなわち、請求項２に記載の発明によれば、解除ボタンを回動させることにより、解除位置とロック位置とを選択することができる。
（請求項３）
請求項３に記載の発明によれば、上記した請求項１に記載の発明の効果に加え、次のような効果を奏する。
【００２３】
すなわち、請求項３に記載の発明によれば、解除ボタンを往復動させることにより、解除位置とロック位置とを選択することができる。
（請求項４）
請求項４に記載の発明によれば、上記した請求項１〜３のいずれか１項に記載の発明の効果に加え、次のような効果を奏する。
【００２４】
すなわち、請求項４に記載の発明によれば、解除ボタンをロック位置に向けて付勢することで、解除ボタンを解除位置からロック位置に移行させる選択操作が不要となり、自動ロック機能を付加することができ、解除ボタンのロック忘れを未然に防止することができる。
これに加え、請求項４に記載の発明によれば、ロック位置に移行した解除ボタンを、解除位置に移行させる際に、付勢手段の付勢に抗して解除ボタンを解除位置に移行させる選択操作が必要となり、当該選択操作の上からも、ロック状態が不用意に解除されるのを適切に防止することができる。
（請求項５）
請求項５に記載の発明によれば、上記した請求項２に記載の発明の効果に加え、次のような効果を奏する。
【００２５】
すなわち、請求項５に記載の発明によれば、解除ボタンの回動を抑止する係合爪を備えることで、解除ボタンが不用意に回動して、解除位置からロック位置に移行するのを未然に防止することができる。
（請求項６）
請求項６に記載の発明によれば、上記した請求項４に記載の発明の効果に加え、次のような効果を奏する。
【００２６】
すなわち、請求項６に記載の発明によれば、コイルスプリングを解除ボタンの回動の軸線上に設けることで、その捻りと圧縮により、解除ボタンを突出させる復帰バネと、ロック位置に向けて付勢する付勢手段との機能を併せ持たせることができる。
【図面の簡単な説明】
【００２７】
【図１】バックルの分解斜視図である。
【図２】雌本体を除き、雄部材を連結した状態のバックルを横から見た状態の斜視図である。
【図３】図２に対応し、バックルを上方から見た状態の斜視図である。
【図４】図２に対応し、バックルを下方から見た状態の斜視図である。
【図５】図３に対応し、解除ボタンを回動した状態の斜視図である。
【図６】図５に続き、雄部材が抜ける際の斜視図である。
【図７】図６に続き、解除ボタンを回動する力を解放した状態の斜視図である。
【図８】図３の断面図である。
【図９】図８に続き、解除ボタンを回動した状態の断面図である。
【図１０】図９に続き、解除ボタンを押し込んだ状態の断面図である。
【図１１】図１０に続き、雄部材を抜いた状態の断面図である。
【図１２】雌部材の斜視図である。
【図１３】図１２に対応し、台座と解除ボタンとを組み立てた状態の斜視図である。
【図１４】台座、解除ボタン及びコイルスプリングの分解斜視図である。
【図１５】図１２に対応し、解除ボタンを回動した状態の斜視図である。
【図１６】図１３に対応し、解除ボタンを回動した状態の斜視図である。
【図１７】雌本体の平面図である。
【図１８】雌本体の側面図である。
【図１９】雌本体の底面図である。
【図２０】図１７のＡ−Ａ線に沿う断面図である。
【図２１】雄部材の平面図である。
【図２２】雄部材の側面図である。
【図２３】雄部材の底面図である。
【図２４】図２１のＢ−Ｂ線に沿う断面図である。
【図２５】図２１のＣ−Ｃ線に沿う断面図である。
【図２６】図２３のＤ−Ｄ線に沿う断面図である。
【図２７】図２３のＥ部の拡大図である。
【図２８】解除ボタンの平面図である。
【図２９】解除ボタンの側面図である。
【図３０】解除ボタンの底面図である。
【図３１】図３１のＦ−Ｆ線に沿う断面図である。
【図３２】図３１のＨ部の拡大図である。
【図３３】図３０のＧ−Ｇ線に沿う断面図である。
【図３４】ロック部材の平面図である。
【図３５】ロック部材の正面図である。
【図３６】ロック部材の側面図である。
【図３７】台座の平面図である。
【図３８】台座の正面図である。
【図３９】台座の側面図である。
【図４０】台座の底面図である。
【図４１】図３７のＩ−Ｉ線に沿う断面図である。
【図４２】図４１のＪ部の拡大図である。
【図４３】図４１のＫ部の拡大図である。
【図４４】コイルスプリングの側面図である。
【図４５】コイルスプリングの平面図である。
【発明を実施するための形態】
【００２８】
（バックル10）
図中、10は、バックルを示し、図８〜１１に示すように、ベルト20を連結するためのものである。
ベルト20は、図示しないが、例えばベビーカー、チャイルドシート、ベビーラック等に使用され、５点式シートベルトとして使用される。５点式シートベルトは、同じく図示しないが、子供の腰に巻き付ける２本の腰ベルトと、子供の両肩にそれぞれ掛ける２本の肩ベルトと、子供の両足の間に通す１本の股ベルトから構成されている。
【００２９】
なお、ベルト20の用途として、ベビーカー、チャイルドシート、ベビーラックを例示したが、これらに限定されない。また、５点式シートベルトを例示したが、これに限定されず、２点式、３点式、４点式のシートベルトに用いても良い。
バックル10は、図１に示すように、大別すると、次のパーツを備える。
なお、次の（１）及び（２）については、後述する。
【００３０】
（１）左右一対の雄部材30,30
（２）雌部材40
なお、バックル10のパーツは、上記した（１）及び（２）に限定されない。
（雄部材30）
雄部材30は、図８に示すように、ベルト20の自由端部を固定するものである。
【００３１】
雄部材30は、図１に示すように、左右一対形成され、剛性を有する熱可塑性合成樹脂、例えばＰＯＭ（ポリアセタール）により一体的に成形されている。
なお、雄部材30を、一対形成したが、これに限定されず、１個でも良い。また、雄部材30を、合成樹脂製としたが、これに限定されず、金属製としても良い。
具体的には、雄部材30は、図１及び図２１〜２７に示すように、次の各部を備える。
【００３２】
なお、次の（１）〜（４）については、後述する。
（１）第１ベルト固定部31
（２）差込部32
（３）ロック穴33
（４）第２ベルト固定部34
なお、雄部材30の各部は、上記した（１）〜（４）に限定されない。
（第１ベルト固定部31）
第１ベルト固定部31は、図８、図２１、図２３及び図２５に示すように、雄部材30の一端部に位置し、ベルト20の自由端部を固定するものである。第１ベルト固定部31は、ベルト20の自由端部を蛇行させて通すように、ラダー型に形成されている。
【００３３】
なお、第１ベルト固定部31を、ラダー型に形成したが、これに限定されず、単なるリング状に形成しても良い。
（差込部32）
差込部32は、図８及び図２１〜２４に示すように、雄部材30の他端部に位置し、雌部材40の後述する差込口51に差し込むものである。
【００３４】
差込部32は、第１ベルト固定部31から板状に延び、その横幅を第１ベルト固定部31より幅狭に形成している。
なお、第１ベルト固定部31の横幅は、差込口51の開口幅より大きく形成されている。
（ロック穴33）
ロック穴33は、図８、図２１、図２３及び図２４に示すように、差込部32に形成され、差込口51から差し込んだ差込部32を雌部材40の中空内部にロックするためのものである。ロック穴33は、差込部32を上下に貫通した方形に形成され、雌部材40の後述する係止片72がはまり込むものである。
【００３５】
なお、ロック穴33を、方形に形成したが、これに限定されず、円形、楕円形、或いは方形を除く多角形に形成しても良い。
（第２ベルト固定部34）
第２ベルト固定部34は、図２１〜２３、図２６及び図２７に示すように、差込部32と同方向に第１ベルト固定部31から棒状に延び、ベルト20を固定するためのものである。なお、ベルト20は、図示しないが、ループ状にしたり、折り返した状態で棒状の第２ベルト固定部34に通すことにより固定する。
【００３６】
なお、第２ベルト固定部34を、棒状に形成したが、これに限定されず、単なるリング状に形成しても良い。
（雌部材40）
雌部材40は、図２〜４及び図８に示すように、雄部材30を連結するものである。
雌部材40は、大別すると、次のパーツを備える。
【００３７】
なお、次の（１）〜（５）については、後述する。
（１）雌本体50
（２）台座60
（３）ロック部材70
（４）解除ボタン80（楕円形）
（５）コイルスプリング90（付勢手段）
なお、雌部材40のパーツは、上記した（１）〜（５）に限定されない。
（雌本体50）
雌本体50は、図８及び図１７〜２０に示すように、雄部材30の差込部32が差し込まれる差込口51を有する中空筒形のものである。
【００３８】
雌本体50は、剛性を有する熱可塑性合成樹脂、例えばＰＯＭ（ポリアセタール）により一体的に成形されている。
なお、雌本体50を、合成樹脂製としたが、これに限定されず、金属製としても良い。
具体的には、雌本体50は、図１７〜２０に示すように、次の各部を備える。
なお、次の（１）〜（５）については、後述する。
【００３９】
（１）差込口51
（２）開口部52
（３）ベルト固定部53
（４）底穴54
（５）台座止め55
なお、雌本体50の各部は、上記した（１）〜（５）に限定されない。
（差込口51）
差込口51は、図８、図１２、図１８及び図２０に示すように、雌本体50の両端部に一対形成され、雄部材30の差込部32がそれぞれはまり込むものである。
（開口部52）
開口部52は、図８、図１０、図１７及び図２０に示すように、ロック部材70の後述する楕円形の頭部71、及び回動した解除ボタン80の楕円形のボタン本体81がはまり込むものである。
【００４０】
開口部52は、雌本体50の上壁を上下に貫通し、差込口51の有る方向に長辺を有する楕円形に形成されている。
なお、開口部52を、楕円形に形成したが、これに限定されず、長辺と短辺とを有する形状であれば足り、長円形や長方形に形成しても良い。
（ベルト固定部53）
ベルト固定部53は、図３、図４及び図１７〜１９に示すように、一対の差込口51と直交する向きに位置し、ベルト20の自由端部を固定するものである。ベルト固定部53は、ベルト20の自由端部を蛇行させて通すように、ラダー型に形成されている。
【００４１】
なお、ベルト固定部53を、ラダー型に形成したが、これに限定されず、単なるリング状に形成しても良い。
（底穴54）
底穴54は、図１９及び図２０に示すように、開口部52の下側に位置し、雌本体50の底壁を上下に貫通し、方形に形成されている。
【００４２】
なお、底穴54を、方形に形成したが、これに限定されず、楕円形、長円形、或いは方形を除く多角形に形成しても良い。
（台座止め55）
台座止め55は、図８、図１９及び図２０に示すように、台座60を底穴54に固定するためのものであり、雌本体50の底壁から下向きに鉤形に突出する。台座止め55は、底穴54を挟んで一対形成され、台座60の後述する止め受け65と互いにはまり合う。
（台座60）
台座60は、図１、図８、図１３、図１４及び図３７〜４３に示すように、雌本体50の裏面側から取り付けられ、雌本体50の内部に一部突出し、後述するロック部材70、解除ボタン80、コイルスプリング90を支持するためのものである。
【００４３】
台座60は、剛性を有する熱可塑性合成樹脂、例えばＰＯＭ（ポリアセタール）により一体的に成形されている。
なお、台座60を、合成樹脂製としたが、これに限定されず、金属製としても良い。
具体的には、台座60は、図３７〜４３に示すように、次の各部を備える。
なお、次の（１）〜（５）については、後述する。
【００４４】
（１）底板61
（２）外筒62
（３）ボス63
（４）ガイド穴64
（５）止め受け65
なお、台座60の各部は、上記した（１）〜（５）に限定されない。
（底板61）
底板61は、図８、図１３、図１４及び図３７〜４１に示すように、雌本体50の底穴54を塞ぐものであり、方形の板状に形成されている。
【００４５】
底板61を、方形に形成したが、これに限定されず、楕円形、長円形、或いは方形を除く多角形に形成しても良い。
（外筒62）
外筒62は、図８、図１３、図１４及び図３７〜３９に示すように、底板61の中心に立設され、雌本体50の内部に突出し、後述する解除ボタン80を回動可能に支持するためのものである。
【００４６】
なお、外筒62を台座60に形成し、これにはまり込む後述する内筒82を解除ボタン80に形成したが、逆に台座60に内筒を形成し、解除ボタン80に外筒を形成しても良い。
（ボス63）
ボス63は、図８、図１４、図３７及び図４１に示すように、外筒62の底に立設され、その中心を通る差込溝63aにより切り割られている。
【００４７】
ボス63には、後述するコイルスプリング90が外嵌され、その端部92,93のいずれか一方を差込溝63aに差し込むことで、コイルスプリング90の下端部を外筒62内に回動不能に支持する。
（ガイド穴64）
ガイド穴64は、図８、図１３、図１４、図１６、図３８、図３９及び図４１に示すように、解除ボタン80の後述する係合爪85がはまり込むことで、解除ボタン80の回動角度を、例えば９０度の範囲内に規制するためのものである。
【００４８】
ガイド穴64は、外筒62の直径方向に一対形成され、外筒62を内外に貫通する方形の穴から構成されている。
なお、ガイド穴64を、台座60に形成し、これにはまり込む後述する係合爪85を解除ボタン80に形成したが、これに限定されず、係合爪を外筒62の内周面から突出させ、ガイド穴を解除ボタン80に形成しても良い。また、解除ボタン80の回動角度を９０度に規制したが、これに限定されず、９０度未満或いは９０度を超える角度に設定しても良い。
（止め受け65）
止め受け65は、図８及び図３８〜４３に示すように、外筒62を挟んで底板61の両端部に一対形成され、雌本体50の台座止め55と互いにはまる合うものである。
（ロック部材70）
ロック部材70は、図１、図８、図１１、図３４〜３６に示すように、雌本体50の内部に位置し、差込口51から差し込まれた雄部材30の差込部32を、当該差込口51内にロックするものである。
【００４９】
ロック部材70は、適度な弾性と剛性とを有する熱可塑性合成樹脂、例えばＰＯＭ（ポリアセタール）により一体的に成形されている。
なお、ロック部材70を、合成樹脂製としたが、これに限定されず、金属製としても良い。
具体的には、ロック部材70は、図３４〜３６に示すように、次の各部を備える。
【００５０】
なお、次の（１）〜（５）については、後述する。
（１）頭部71
（２）係止片72
（３）復帰バネ73
（４）押圧バネ74
（５）貫通孔75
なお、ロック部材70の各部は、上記した（１）〜（５）に限定されない。
（頭部71）
頭部71は、図８及び図３４〜３６に示すように、ロック部材70の中央に位置し、平面が楕円形の筒形に形成され、雌本体50の楕円形の開口部52にはまり込むことが可能なものである。
【００５１】
なお、頭部71を、平面が楕円形の筒形に形成したが、これに限定されず、雌本体50の楕円形の開口部52にはまり込む形状であれば良く、筒形にも限定されない。
（係止片72）
係止片72は、図８及び図３４〜３６に示すように、差込口51から差し込まれた雄部材30の差込部32を、当該差込口51内にロックするものである。
【００５２】
すなわち、係止片72は、頭部71の楕円形の長辺の両端部から板状に延び、その先端部の上面から突出し、上方、すなわちロック部材70を雌本体50の内部に収納した状態において、その差込口51に向かって傾斜した三角形形に形成されている。
係止片72は、雌本体50の内部において、差込口51から差し込まれた雄部材30の差込部32のロック穴33に下方よりはまり込むものである。
（復帰バネ73）
復帰バネ73は、図１１及び図３４〜３６に示すように、解除ボタン80と雌本体50の内部との間に位置し、解除ボタン80を雌本体50の開口部52より外向きに突出する方向に付勢するものである。
【００５３】
すなわち、復帰バネ73は、頭部71の四方から計４本突出し、係止片72と隣接させて、当該係止片72と平行に斜め下向きに棒状に延びている。
なお、復帰バネ73を、ロック部材70に一体的に形成したが、これに限定されず、別体で形成しても良い。また、復帰バネ73を計４本形成したが、これに限定されず、１〜３本或いは５本以上形成しても良い。
（押圧バネ74）
押圧バネ74は、図１１及び図３４〜３６に示すように、雄部材30の差込部32を差込口51から抜け出る方向に押圧するためのものである。
【００５４】
押圧バネ74は、４本の復帰バネ73の外側に計４本位置し、山形に折れ曲がって斜め下向きに棒状に延びている。押圧バネ74は、復帰バネ73と比較すると、短く形成されている。
なお、押圧バネ74を、ロック部材70に一体的に形成したが、これに限定されず、別体で形成しても良い。また、押圧バネ74を計４本形成したが、これに限定されず、１〜３本或いは５本以上形成しても良いし、又、復帰バネ73の外側にも限定されない。
（貫通孔75）
貫通孔75は、図３４に示すように、頭部71の中心に位置し、上下に貫通し、台座60の外筒62がはまり込むとともに、外筒62を介して解除ボタン80の内筒82がはまり込むものである。
（解除ボタン80）
解除ボタン80は、図８、図１０、図１２〜１６及び図２８〜３３に示すように、係止片72に設けられ、雌本体50に設けた開口部52より外向きに突出するとともに、雌本体50の内部に向かって押し込み操作により、ロック状態を解除可能なものである。
【００５５】
解除ボタン80は、適度な弾性と剛性とを有する熱可塑性合成樹脂、例えばＰＯＭ（ポリアセタール）により一体的に成形されている。
なお、解除ボタン80を、合成樹脂製としたが、これに限定されず、金属製としても良い。
また、解除ボタン80は、図１５及び図１６に示すように、ロック状態で開口部52を通過可能な解除位置と、図１２及び図１３に示すように、開口部52の周縁に当接可能なロック位置とを選択可能である。
【００５６】
さらに、解除ボタン80は、図１に示すように、ロック部材70に回動可能に設けられている。
なお、解除ボタン80を、図示しないが、ロック部材70に対し、雄部材30の差込方向と平行に往復動可能に設けても良い。
具体的には、解除ボタン80は、図１４及び図２８〜３３に示すように、次の各部を備える。
【００５７】
なお、次の（１）〜（５）については、後述する。
（１）ボタン本体81
（２）内筒82
（３）摘み部83
（４）ボス84
（５）係合爪85
なお、解除ボタン80の各部は、上記した（１）〜（５）に限定されない。
（ボタン本体81）
ボタン本体81は、図２、図３、図１０、図１４及び図２８〜３１に示すように、平面が楕円形の板状に形成され、雌本体50の楕円形の開口部52にはまり込むことが可能なものである。
【００５８】
すなわち、ボタン本体81の外径の楕円の長辺が、開口部52の内径の楕円の長辺以下、例えばほぼ等しく、短辺が同じく開口部52の内径の楕円の短辺以下、例えばほぼ等しくそれぞれ形成されている。
このため、ボタン本体81の長辺が、開口部52の長辺に一致した位置で、図１０に示すように、開口部52にはまり込むことが可能である。これに対し、両者の長辺が一致した位置から、ボタン本体81が回動、例えば９０度回動すると、ボタン本体81の楕円の長辺が、開口部52の楕円の短辺の上方に位置するため、図３及び図８に示すように、ボタン本体81の下面が開口部52の周囲の雌本体50の上面に当接し、開口部52にはまり込むことができない。
【００５９】
なお、ボタン本体81を、平面が楕円形の板状に形成したが、これに限定されず、開口部52に対応し、長辺と短辺とを有する形状であれば足り、長円形や長方形に形成しても良く、板状にも限定されない。
（内筒82）
内筒82は、図８、図１４及び図２９〜３３に示すように、ボタン本体81の下面の中心から垂下し、円筒形に形成されている。内筒82の外径は、台座60の外筒62の内径にほぼ等しく設定され、解除ボタン80は、台座60の外筒62を中心に回動可能に支持される。
【００６０】
なお、内筒82を解除ボタン80に形成し、台座60に外筒62を形成したが、逆に解除ボタン80に外筒を形成し、台座60に内筒を形成しても良い。
（摘み部83）
摘み部83は、図２、図３、図８、図１２〜１６、図２８、図２９及び図３３に示すように、ボタン本体81の上面から凸状に突出し、平面が一文字、或いはマイナス形に形成されている。摘み部83は、ボタン本体81の楕円の長辺と平行に形成されている。
【００６１】
なお、摘み部83を、平面が一文字、或いはマイナス形に形成したが、これに限定されず、十文字、、或いはプラス形に形成しても良い。
（ボス84）
ボス84は、図１０及び図３１〜３３に示すように、内筒82の底に立設され、その中心を通る差込溝84aにより切り割られている。
【００６２】
ボス84には、後述するコイルスプリング90が外嵌され、その端部92,93のいずれか一方を差込溝84aに差し込むことで、コイルスプリング90の上端部を内筒82内に回動不能に支持する。
（係合爪85）
係合爪85は、図１３、図１４、図１６及び図２９〜３２に示すように、解除ボタン80の回動を抑止するものである。
【００６３】
係合爪85は、内筒82の外周から突出し、その直径方向に一対形成され、摘み部83と平行に位置する。係合爪85は、斜面を下方に向けた三角形形に突出し、その下端部がヒンジとなり、上端部が自由端となっている。
なお、係合爪85を、解除ボタン80に形成し、ガイド穴64を台座60に形成したが、これに限定されず、ガイド穴を解除ボタン80に形成し、係合爪を台座60の外筒62の内周面から突出させても良い。
（コイルスプリング90（付勢手段））
コイルスプリング90は、図１、図８、図１４、図４４及び図４５に示すように、解除ボタン80とロック部材70との間に位置し、解除ボタン80をロック位置に向けて付勢するものであり、付勢手段として機能する。
【００６４】
コイルスプリング90は、図１４に示すように、解除ボタン80の回動の軸線上に設けられる。
コイルスプリング90は、金属製であり、図１４、図４４及び図４５に示すように、その線材の一端部91をコイルスプリング90の中心を通るように折り曲げ、線材の他端部92をコイルスプリング90の中心を通るように折り曲げるとともに、一端部91に対し、所定角度、例えば２０度捻っている。
【００６５】
なお、他端部92を捻る角度として、２０度を例示したが、これに限定されず、全く捻らず、平行に位置させても良いし、或いは１〜１９度の範囲で捻ったり、２１度以上に捻ったり、又、コイルスプリング90の端部をそれぞれ差し込む差込溝63a,84aの方に位相差を設けても良い。
また、付勢手段として、金属製のコイルスプリング90を例示したが、これに限定されず、金属製の板バネや、或いは樹脂製の板バネを用いても良く、又、別パーツとしたが、雌本体50、解除ボタン80を、台座60、ロック部材70のいずれか少なくとも１個に一体的に形成しても良い。
【００６６】
コイルスプリング90の上半部は、図８及び図１４に示すように、解除ボタン80の内筒82内に挿入し、一端部91を差込溝84aに差し込みながらボス84に外嵌する。コイルスプリング90の下半部は、台座60の外筒62内に差し込み、その差込溝63aに差し込みながらボス63に外嵌する。
解除ボタン80の内筒82は、台座60の外筒62に合わせて挿入する。内筒82を挿入すると、その係合爪85が外筒62の内周面に押され、内筒82の筒内部に向かってたわみ込む。係合爪85を、外筒62のガイド穴64に位置させると、弾性的に復元し、図１３に示すように、係合爪85がガイド穴64を通して突出することから、内筒82が外筒62から抜けるのが阻止される。このとき、コイルスプリング90が、図８に示すように、内筒82の底と外筒62の底との間で圧縮され、その圧縮復元力により、解除ボタン80を、雌本体50の開口部52より外向きに突出する方向に付勢する。
【００６７】
また、係合爪85が、図１３に示すように、ガイド穴64の円周方向の一側縁に当接した位置において、解除ボタン80の平面が一文字、或いはマイナス形に形成された摘み部83は、図２、図３、図７、図８、図１２及び図１３に示すように、両側の差込部32を結ぶ仮想線に対し、直交して位置する。このとき、両方の差込溝63a,84aが、図８に示すように、上下に対向し、同じ向きに位置する。
【００６８】
また、コイルスプリング90の他端部92が、一端部91に対し、所定角度、例えば２０度捻られていることから、捻り戻ろうとする復元力が働き、係合爪85がガイド穴64の円周方向の一側縁に弾性的に当接し、ガタ付きが防止される。
一方、解除ボタン80の摘み部83を回動すると、係合爪85がガイド穴64の円周方向に移動し、図１６に示すように、そのガイド穴64の円周方向の他側縁に当接し、解除ボタン80の回動角度が所定角度、例えば９０度に規制される。
【００６９】
このとき、解除ボタン80の平面が一文字、或いはマイナス形に形成された摘み部83は、図５、図６、図９〜１１、図１５及び図１６に示すように、両側の差込部32を結ぶ仮想線に対し、平行に位置する。
また、解除ボタン80を回動する際には、コイルスプリング90が捻られ、捻り戻ろうとする復元力に抗して解除ボタン80を回動する必要がある。
【００７０】
つぎに、係合爪85がガイド穴64の他側縁に当接した位置において、摘み部83から手を離すと、コイルスプリング90が捻り戻ろうとする復元力により、解除ボタン80が戻り回動し、図１３に示すように、係合爪85がガイド穴64の円周方向の一側縁に弾性的に当接することで、回動が停止する。
（バックル10の使用方法）
つぎに、上記した構成を有するバックル10の使用方法について説明する。
【００７１】
まず、図２、図３、図８に示すように、雄部材30を連結した状態において、雄部材30を外すには、解除ボタン80の摘み部83を持って、図５、図９、図１５及び図１６に示すように、９０度回動する。
つぎに、解除ボタン80を回動した状態で、図１０に示すように、解除ボタン80を雌本体50の開口部52に向かって押し込めば良い。
【００７２】
解除ボタン80を押し込むと、図１０に示すように、ロック部材70の頭部71が押圧され、雌本体50の内部において、ロック部材70全体が沈み込み、その際に復帰バネ73及び押圧バネ74がそれぞれ撓み、復元力を蓄積する。
また、ロック部材70全体が沈み込んだ際に、係止片72が雄部材30の差込部32のロック穴33から下方に外れ、ロック状態が解除される。
【００７３】
このとき、押圧バネ74に蓄積された復元力により、雄部材30の差込部32を差込口51から抜け出る方向に押圧する。
このため、差込口51から押し出された雄部材30の差込部32を、図６及び図１１に示すように、差込口51から抜き取ることで、雄部材30と雌部材40との連結状態を解除することができる。
【００７４】
一方、摘み部83から手を離すと、ロック部材70の頭部71を押圧する力が解放されることから、復帰バネ73に蓄積された復元力により、図１１に示すように、雌本体50の内部において、ロック部材70が浮上する。
同時に、解除ボタン80が、浮上するロック部材70により押し戻されるとともに、コイルスプリング90の圧縮復元力により、雌本体50の開口部52より外向きに突出する。
【００７５】
また、解除ボタン80は、コイルスプリング90が捻り戻ろうとする復元力により、図７に示すように、戻り回動し、自動的にロック状態に復帰する。
（雄部材30の連結方法）
つぎに、雄部材30を連結するには、図７に示すように、その差込部32を雌本体50の差込口51に合わせて差し込めば良い。
【００７６】
差込部32を差し込むと、ロック部材70の係止片72が差込部32に押され、雌本体50の内部において、ロック部材70が一旦、沈み込む。このとき、復帰バネ73が撓み、復元力を蓄積する。
係止片72が雄部材30の差込部32のロック穴33に位置すると、復帰バネ73に蓄積された復元力により、図８に示すように、雌本体50の内部において、ロック部材70が浮上する。このとき、係止片72が雄部材30の差込部32のロック穴33に下方からはまり込み、雄部材30が雌本体50の差込口51内にロックされる。
【００７７】
また、差込部32を差し込んだ際に、押圧バネ74が撓み、復元力を蓄積するとともに、差込部32に弾性的に当接し、差込口51内での差込部32のガタ付きが防止される。
（解除ボタン80の誤動作防止）
一方、雄部材30を連結した状態において、解除ボタン80を回動せずに、雌本体50の開口部52に向かって押し込もうとすると、図３及び図８に示すように、その楕円形の長辺が、同じく楕円形の開口部52の短辺に位置していることから、開口部52の周囲の雌本体50の上面に当たって、解除ボタン80を押し込むことが不能である。
【００７８】
なお、解除ボタン80を９０度未満の回動角度だけ回動したときも同様である。
このため、雄部材30がロック状態が維持され、雄部材30が不用意に外れるのを防止できる。
【符号の説明】
【００７９】
10  バックル
20  ベルト                    30  雄部材
31  第１ベルト固定部          32  差込部
33  ロック穴                  34  第２ベルト固定部
40  雌部材                    50  雌本体
51  差込口                    52  開口部
53  ベルト固定部              54  底穴
55  台座止め                  60  台座
61  底板                      62  外筒
63  ボス                      63a  差込溝
64  ガイド穴                  65  止め受け
70  ロック部材
71  頭部                      72  係止片
73  復帰バネ                  74  押圧バネ
75  貫通孔                    80  解除ボタン
81  ボタン本体                82  内筒
83  摘み部
84  ボス                      84a  差込溝
85  係合爪
90  コイルスプリング（付勢手段）      91,92  端部
【図１】
2013031506.tif 000003
【図２】
2013031506.tif 000004
【図３】
2013031506.tif 000005
【図４】
2013031506.tif 000006
【図５】
2013031506.tif 000007
【図６】
2013031506.tif 000008
【図７】
2013031506.tif 000009
【図８】
2013031506.tif 000010
【図９】
2013031506.tif 000011
【図１０】
2013031506.tif 000012
【図１１】
2013031506.tif 000013
【図１２】
2013031506.tif 000014
【図１３】
2013031506.tif 000015
【図１４】
2013031506.tif 000016
【図１５】
2013031506.tif 000017
【図１６】
2013031506.tif 000018
【図１７】
2013031506.tif 000019
【図１８】
2013031506.tif 000020
【図１９】
2013031506.tif 000021
【図２０】
2013031506.tif 000022
【図２１】
2013031506.tif 000023
【図２２】
2013031506.tif 000024
【図２３】
2013031506.tif 000025
【図２４】
2013031506.tif 000026
【図２５】
2013031506.tif 000027
【図２６】
2013031506.tif 000028
【図２７】
2013031506.tif 000029
【図２８】
2013031506.tif 000030
【図２９】
2013031506.tif 000031
【図３０】
2013031506.tif 000032
【図３１】
2013031506.tif 000033
【図３２】
2013031506.tif 000034
【図３３】
2013031506.tif 000035
【図３４】
2013031506.tif 000036
【図３５】
2013031506.tif 000037
【図３６】
2013031506.tif 000038
【図３７】
2013031506.tif 000039
【図３８】
2013031506.tif 000040
【図３９】
2013031506.tif 000041
【図４０】
2013031506.tif 000042
【図４１】
2013031506.tif 000043
【図４２】
2013031506.tif 000044
【図４３】
2013031506.tif 000045
【図４４】
2013031506.tif 000046
【図４５】
2013031506.tif 000047